(57)【要約】      （修正有）【課題】円錐型口輪の斜面における原理によって、急速に高さを調整すること、足を支えるリングの安定性を高める。【解決手段】主に主軸２１・口輪２４・クロス型けた材２３・足を支える用リング２２・円錐型口輪２８・椅子の足２９で組み合わせる。その構造は、様々なバーのカウンターの椅子における足を支える用リングに応用するものであり、円錐型口輪の斜面における原理によって、急速に足を支える用リングの高さが調整でき、且つ、しっかり固定されることができる。【選択図】図３
0003109467.tif 000002
【実用新案登録請求の範囲】
【請求項１】
椅子の昇降構造であり、その構造は主軸・足を支える用リング・円錐型口輪・椅子の足に含まれていて、足を支える用リングの内側にクロスけた材があり、クロスけた材の中心部に口輪があり、口輪の裏側は斜面を持っている中空部であり、その中空部の上端にらせんを付けるので、円錐型口輪と互いにしっかりと回転して締めることができる
ことを特徴とする椅子の昇降構造。
【請求項２】
請求項１に記載の椅子の昇降構造において、
円錐型口輪の下端に数個の深溝を掘り、それに通じて弾力性を備え、内に向いて押さえられることができる数切れの羽根が分かれ、毎羽根に穴があり、その穴の内部に順序に従って、大きさが適当なゴムのブロック及び固定用ブロックが嵌め入れてある
ことを特徴とする椅子の昇降構造。
【請求項３】
請求項１に記載の椅子の昇降構造において、
足を支えるリングを下に向いて回転する時、口輪も一緒に下に移動し、そうすると、口輪の裏側における斜面は円錐型口輪としっかり合わせていくと同時に、固定用ブロックが圧迫され、ゴムのブロックも内に向いて押さえられ、そうしたら、円錐型口輪が主軸と合わせて、しっかりと固定するのを狙いにする目的を達成することができる
ことを特徴とする椅子の昇降構造。
【請求項４】
請求項１に記載の椅子の昇降構造による比較的によい実施の例において、
円錐型口輪の下端にある羽根の裏側に細長いゴムのブロックを嵌め入れてあり、口輪を下に向いて移動させる時、羽根が押さえられ、細長いゴムのブロックを主軸と合わせることができ、そうしたら、しっかりと固定する効果を達成することができる
ことを特徴とする椅子の昇降構造。
【考案の詳細な説明】
【技術分野】
【０００１】
本考案は椅子の昇降構造であり、主に主軸・口輪・クロス型けた材・足を支える用リング・円錐型口輪・椅子の足で組み合わせる。その構造は、円錐型口輪の斜面における原理によって、急速に足を支える用リングの高さを調整できる。
【背景技術】
【０００２】
図１及び図２をご参照してください。従来の構造は単一側面に固定する設計である。Ｃ型口輪（１５）が口輪（１４）に被せて入られさせ、口輪（１４）の身にらせんを付けるネジ穴（１６）を掘り、ボルト（１７）がネジ穴（１６）に回転させることができる。このような回転につれて、Ｃ型口輪（１５）が主軸（１１）に固定されるようになる。固定の面で見ると、従来の構造は比較的に複雑で、それに、下記のような欠点を持っている。
【０００３】
１、Ｃ型口輪（１５）の素材はゴムである。（ゴムに限り、Ｃ型口輪が主軸に固定できる。）ボルト（１７）を回転する時、Ｃ型口輪（１５）の表面を圧迫できるため、損壊の発生を引き起こす。そのままで長時間使用した上、固定の機能を益々失っていく。
【０００４】
２、ボルト（１７）の回転による損壊は、単一側面が圧迫されたことに属する。従って、Ｃ型口輪（１５）の表面を壊しやすいだけではなく、間接的に主軸（１１）を圧迫し、その形を曲げる場合もある。こういう状況で、なかなか足を支える用リング（１２）の昇降が行われないことが出てくる。
【０００５】
３、単一側面に固定する構造において、Ｃ型口輪（１５）の表面にボルト（１７）からの力を受けるのは均等でないため、足を支える用リング（１２）の安定性に影響を及ぼすことがある。足を支える用リング（１２）を踏んでいる時、この部分が比較的に重い力を受けて、主軸（１１）が変形させる斜めが出て、実用性を喪失していく。
【０００６】
上述したように、Ｃ型口輪（１５）の単一側面に対する圧迫によって、主軸（１１）とＣ型口輪（１５）の損壊、及び、足を支える用リング（１２）とクロスけた材（１３）の斜め・揺れが容易的に発生し、使用上で比較的に危険だ。また、デザイン感が足りないという欠点もある。
【０００７】
なお、本願出願人が実用新案登録出願時に知っている先行技術は、上記において説明したようなものであって文献公知に係る考案ではないため、記載すべき先行技術情報はない。
【考案の開示】
【考案が解決しようとする課題】
【０００８】
本考案は、上述した様々な欠点に鑑みなされたものである。
【課題を解決するための手段】
【０００９】
上記目的を達成するために、本考案は、円錐型口輪の斜面における原理によって、急速に高さを調整すること、足を支えるリングの安定性を高める。
【考案の効果】
【００１０】
本考案は、円錐型口輪の斜面における原理によって、急速に高さを調整すること、足を支えるリングの安定性を高めることができる。
【考案を実施するための最良の形態】
【００１１】
図３〜図６をご参照してください。本考案は椅子の昇降構造（２）であり、その構造は主軸（２１）・足を支える用リング（２２）・円錐型口輪（２８）・椅子の足（２９）に含まれている。足を支える用リング（２２）の内側にクロスけた材（２３）があり、クロスけた材（２３）の中心部に口輪（２４）があり、口輪（２４）の裏側は斜面（３３）を持っている中空部である。その中空部の上端にらせん（３２）を付けるので、円錐型口輪（２８）と互いにしっかりと回転して締めることができる。
【００１２】
円錐型口輪（２８）の下端に数個の深溝（３０）を掘り、それに通じて弾力性を備え、内に向いて押さえられることができる数切れの羽根（３１）が分かれる。毎羽根（３１）に穴（２５）があり、その穴（２５）の内部に順序に従って、大きさが適当なゴムのブロック（２７）及び固定用ブロック（２６）が嵌め入れてある。
【００１３】
足を支える用リング（２２）を下に向いて回転する時、口輪（２４）も一緒に下に移動する。そうすると、口輪（２４）の裏側における斜面（３３）は円錐型口輪（２８）としっかり合わせていくと同時に、固定用ブロック（２６）が圧迫され、ゴムのブロック（２７）も内に向いて押さえられる。そうしたら、円錐型口輪（２８）が主軸（２１）と合わせて、しっかりと固定するのを狙いにする目的を達成することができる。
【００１４】
上述のような本考案の構造に通じて、その美点は下記通りである。
【００１５】
１、円錐型口輪（２８）の固定式は単一側面に圧迫することではない、均等的に表面の全部が力に受けられることである。従って、円錐型口輪（２８）の損壊のかわりに、使用年限を延長することができる。
【００１６】
２、数個のゴムのブロック（２７）に通じて、間接的に主軸（２１）を圧迫するので、主軸（２１）に損壊を引き起こすことができない。
【００１７】
３、均等的に力を受ける固定式において、足を支える用リング（２２）の安定性が増加するだけでなく、斜め及び揺れが発生できないようになる。
【００１８】
４、らせん（３２）と斜面（３３）の相互作用によって、固定及び高さの調整にもっと力を省いて便利である。たとえ長い時間に使っても機能を失うことはない。
【００１９】
最後に、図７と図８をご参照してください。本考案による比較的によい実施の例において、円錐型口輪（２８）の下端にある羽根（３１）の裏側に細長いゴムのブロック（３４）を嵌め入れてある。口輪（３４）を下に向いて移動させる時、羽根（３１）が押さえられ、細長いゴムのブロック（３４）が主軸（２１）と合わせることができる。そうしたら、しっかりと固定する効果を達成することができる。
【図面の簡単な説明】
【００２０】
【図１】従来の構造の立体分解図である。
【図２】従来の構造の立体図である。
【図３】本考案の立体分解図である。
【図４】本考案の立体図である。
【図５】本考案におけるボルトを回転しない図である。
【図６】本考案におけるボルトを回転した図である。
【図７】本考案による比較的によい実施の例の立体局部断面図である。
【図８】本考案による比較的によい実施の例の断面図である。
【符号の説明】
【００２１】
２      椅子の昇降構造
２１      主軸
２２      足を支える用リング
２３      クロス型けた材
２４      口輪
２５      穴
２６      固定用ブロック
２７      ゴムのブロック
２８      円錐型口輪
２９      椅子の足
３０      深溝
３１      羽根
３２      らせん
３３      斜面
３４      細長いゴムのブロック
【図１】
0003109467.tif 000003
【図２】
0003109467.tif 000004
【図３】
0003109467.tif 000005
【図４】
0003109467.tif 000006
【図５】
0003109467.tif 000007
【図６】
0003109467.tif 000008
【図７】
0003109467.tif 000009
【図８】
0003109467.tif 000010